(57)【要約】【課題】従来のこの種の円筒型組立てハウスは一般的でないため、その工法は様々で、現地での組立てに手間や時間を要し、コスト削減や工期短縮に適しなかった。又現場で曲げ加工をするので、漏水の確立が高く止水が容易にできなかった。強度については、パネルの接続強度を保持する手数を要することはもちろん、殊に、耐荷重性、横からの耐衝撃性に弱いために、これをパネルの厚み強度で補う必要から、一枚当たりのパネルの重量が過大になり、運搬や保管、組立てが容易でなかった。【解決手段】解決しようとする問題点は、鉄骨造円筒型建物を住宅用としても充分な強度を持たせ、組立て作業も容易で、内装材や外装材も簡単に取付けできる方法を提供することにある【選択図】図１
2009007793.tif 000002
【特許請求の範囲】
【請求項１】
二本の鉄骨主柱と鉄骨大梁からなる門形マストを主マストとして組立て後、マスト基礎にアンカーボルトにて固定後、円筒形建物を縦に二分割した、かまぼこ型ドーム型の壁部をそれぞれ地上で組立てし、主マストにボルトで接合し円筒型とする円筒型建物の工法
【請求項２】
円形アルミパネルを鉄骨円形梁に円形アルミパネル止め金物で挟み込み鉄骨円形梁に固定してコンクリートの打設をすることを特徴とする請求項１の工法
【請求項３】
屋根パネル表面は防火板を張り、防水・断熱塗装を施し、裏面は断熱材を貼り、外断熱、内断熱を行うことを特徴とする請求項１による円筒型建物
【請求項４】
屋根パネルをパネル下地鋼材と、鉄骨大梁、鉄骨小梁および鉄骨ラチス梁とボルトにて固定し、水勾配をボルトにて調整し、雨水を谷樋に集め、谷樋の両側に雨水目皿を設置し、堅樋にて排水することを特徴とする請求項１の工法
【請求項５】
鉄骨大梁を鉄骨主柱に大梁接合金物にて固定し、鉄骨小梁は鉄骨間柱および鉄骨大梁に、また鉄骨円形梁は鉄骨間柱と鉄骨主柱にボルトにて固定した後、鉄骨ラチス梁を鉄骨大梁および鉄骨小梁または鉄骨ラチス梁同士と三角形を構成するように配置したことを特徴とする請求項１の工法
【請求項６】
壁下地材として、溶接金網を鉄骨円形梁の上下に取付けた溶接金網取付金物と鉄骨円形梁の間に差込み、曲り易い溶接金網押え丸鋼にて固定し、溶接金網の横格子部に胴縁を又釘で固定することを特徴とする請求項1の工法
【請求項７】
外装材および内装材を胴縁に留めるとともに、内装材は鉄骨円形梁と溶接金網取付金物との隙間に差込み、上下スライドして取付け、厚みの調整はゴムパッキン等の緩衝材で行うことを特徴とする請求項1の工法
【発明の詳細な説明】
【技術分野】
【０００１】
本発明は、鉄骨造円筒型建物とその組立て方法に関するものである。
【背景技術】
【０００２】
従来のこの種の円筒型組立てハウスは一般的でないため、その工法は様々で、現地での組立てに手間や時間を要し、コスト削減や工期短縮に適しなかった。
強度については、パネルの接続強度を保持する手数を要することはもちろん、殊に、耐荷重性、横からの耐衝撃性に弱いために、これをパネルの厚み強度で補う必要から、一枚当たりのパネルの重量が過大になり、運搬や保管、組立てが容易でなかった。
【０００３】
また、従来の建築物は、四角形を基本形とするものであったからどれも同じような形状になりやすく、また四角形の内部空間では、その範囲でのデザイン研究がされ尽され、斬新な設計の余地が残っていない。しかも隅が多いため無駄なスペースが生じやすく、掃除の効率も悪かった。
【０００４】
円形の外壁及び下地を現場にて施工すると、漏水の確立が高くその修復は非常に手間がかかるし、完全に止水する事が容易でなかった。                                
【０００５】
この改善策として、特許文献１がある。しかしながらこの方法は、簡単に組立て可能ではあるが、ＦＲＰ製であるため間取りに拡張性がなく、また強度も不十分である。さらに、特許文献２では、公衆トイレなどの簡易組立て設備としては利用できるが、充分な強度が確保されているとは言いがたい。また、住宅用とするには不向きである。
【特許文献１】特開２０００−１２０１７１号公報
【特許文献２】特開２０００−１２０１７１号公報
【発明の開示】
【発明が解決しようとする課題】
【０００６】
解決しようとする問題点は、鉄骨造円筒型建物を住宅用としても充分な強度を持たせ、組立て作業も容易で、内装材や外装材も簡単に取付けできる方法を提供することにある。
【課題を解決するための手段】
【０００７】
図４において、二本の鉄骨主柱１と鉄骨大梁３からなる門形マストを主マストとして組立て後、マスト基礎（イ）にアンカーボルトにて固定後、円筒形建物を縦に二分割した、かまぼこ型ドーム型の壁部をそれぞれ地上で組立てし、主マストにボルトで接合し円筒型とする円筒型建物の基礎骨格を完成した後、ベタ基礎のコンクリートを打設する。
円形アルミパネルを鉄骨円形梁に円形アルミパネル止め金物で挟み込み鉄骨円形梁と固定してコンクリートの打設をする。打設後は外部幅木として利用できる。
鉄骨円形梁にアンカーボルトを取付け、ベタ基礎に固定する。柱、梁にアンカーボルトを設置することにより、建物の固定がしっかりし、地震、風荷重応力に多大な効果をもたらし強度を上げることができる。
屋根パネルの表面は防火板を張り、防水・断熱塗装を施し、裏面はウレタンフォームなどの断熱材を貼り、外断熱、内断熱を行うことができる。外断熱、内断熱を行うことで室内を快適に保つことができる。
屋根パネルをパネル下地鋼材と、鉄骨大梁、鉄骨小梁および鉄骨ラチス梁とボルトにて固定し、水勾配をボルトにて調整し、雨水を谷樋に集め、谷樋の両側に雨水目皿を設置し、堅樋にて排水するが、谷樋は谷樋止め金物にて固定し、屋根パネルと同様に防水、断熱処理を施すようにする。
屋根パネルと外壁材との取り合いは幕板止め木材に幕板止めビスにて止め、アルミ幕板で外壁材を覆い、シールにて止水する。
鉄骨大梁を鉄骨主柱に大梁接合金物にて固定し、鉄骨小梁は鉄骨間柱および鉄骨大梁に、また鉄骨円形梁は鉄骨間柱と鉄骨主柱にハイテンションボルトにて固定した後、鉄骨ラチス梁を鉄骨大梁および鉄骨小梁または鉄骨ラチス梁同士と三角形を構成するように配置し
円形の半分が一体の梁として形成し断面係数を大きくして個々の梁の部材を小さくできる。        
壁下地材として、溶接金網を鉄骨円形梁の上下に取付けた溶接金網取付金物と鉄骨円形梁の間に差込み、曲り易い溶接金網押え丸鋼にて固定する。溶接金網は丸鋼の格子状の溶接金網を使用するので、曲げが簡単にできて軽量であり、安価でしかも強度が十分にある。溶接金網の横格子部に胴縁を又釘で固定し、この胴縁は外装材および内装材を止める部材となる。
内装材は鉄骨円形梁と溶接金網取付金物との隙間に差込み、上下スライドして取付け、厚みの調整はゴムパッキン等の緩衝材で行なうことで内装材をワンタッチで固定できる。
１階床張りは図６に示すように大引をボルトで固定し、床材を張る。２階の床材は図９に示すようにボルトを構造部材に溶接し、大引を取付け、床材を張る。柱カバーパネルを取り付け、柱カバーパネル止め金物にて胴縁に固定する。壁との雨仕舞いは鋼板とシーリングで施工する。柱カバーパネルは防火板を使用し、防水、断熱塗装を施す。
解決しようとする問題点は、鉄骨造円筒型建物を住宅用としても充分な強度を持たせ、組立て作業も容易で、内装材や外装材も簡単に取付けできる方法を提供することにある。
【発明の効果】
【０００８】
地上にて主要な部分を組立完成するので、住宅の致命傷である漏水を防ぐ工事を足場の良い場所で完全に施行できる為今までの住宅より遥かに漏水が減少する。高所での作業が少なくなり、落下事故の発生が減少する。地上で外壁等主要な部分を組立するので外部足場も減少する。今までの円形建物は材料を現場にて曲げ加工したり、現場での作業が長時間かかり、現場の管理が複雑でしたが、この工法は工場加工した部材を現場で組立てるだけで良いので、熟練職人も要らなくなり、工期は今までの３分の一と大幅に短縮できるので、工事費が大幅に安価になる、又敷地の形が変形狭小地でも簡単に建設できる、利点が沢山ある。
【発明を実施するための最良の形態】
【０００９】
以下、本発明を詳細に説明する。マスト基礎とは鉄骨支柱を支える連続基礎で、ベタ基礎は床版全体を基礎として考える、基礎鉄筋は建設地盤の調査の結果で構造計算をして配筋する。鉄骨柱、梁の形状は図に示す形状に拘らずいろんな形状の鋼材を使用する、たとえば柱、梁部材はH型鋼、角形鋼管、円形鋼管等でも良い、外装材も曲げ加工できるパネル状であれば材質にはこだわらない。胴縁下地材の溶接金網は、鋼材の直径が５ｍｍ以上の鉄筋を使用し２００角以下の格子状の金網を使用する。内装材は従来から使用されている物でよく、具体的には木製板、合板、石膏板、等ここに例示されたものに限定されるものではない。外装材、内装材は建築基準法に適合できる部材を選定する。屋根パネル材は防火性能が建築基準法に適合する素材でパネル化出来る物で、断熱材は板状で厚みが３０〜１００ｍｍの範囲が好適である。
【実施例１】
【００１０】
図１は、構造部材の配置図である。主柱１、間柱２、を配置し大梁３、小梁４、曲げ梁５を柱に取り付けラチス梁６を三角形状に配置し円形の半分が一体の梁として考え断面係数が大きくなり、構造計算上個個の梁の部材が小さくなる。
【００１１】
図２は、屋根パネルを設置完了した状態を示す。二分割した屋根パネル２３を谷樋２８を中央にし取り付ける、谷樋の両端に排水目皿３０を設置する。
【００１２】
図3は、円筒形の建物を二分割したカマボコ型ド−ムの組立図である。間柱２を上部にし曲げ梁５を間柱にボルトにて取付て片方は主柱の仮材に固定し小梁４、ラチス梁６、胴縁下地１４、胴縁１６、外部アルミ建具２２、外壁材１８を準じ取り付ける。ラチス梁は大梁３が後で結合する為一部後付けになる。
【００１３】
図4は、カマボコ型ド−ムが半分組立完成して主マストに仮止した状態を示す。
【００１４】
図５は、屋根パネル２３の二分割図であり、円筒形が完成後構造材にボルトで固定する。表面材は、防火板１２ｍｍ〜１８ｍｍを下地鋼材２６に張り防水、断熱塗料を塗布する。裏面は、断熱材を貼り付ける。カラ−アルミ幕板２９で外壁材をカバ−して、止水はシ−ルで行う。
【００１５】
図6は、基礎部分の詳細図である。マスト基礎１を現場にて施行した後主マストをアンカ−ボルト（ハ）で固定する。間柱2にアンカ−ボルト（ニ）を取り付け、曲げ梁５にアンカ−ボルト（ホ）を取り付けてベタ基礎鉄筋（ト）を配筋する。円形アルミパネル（ワ）を曲げ梁5に（カ）の金物にて挟み込み固定して、ベタ基礎コンクリ−トを打設する。コンクリ−ト打設後は円形アルミパネルを外部幅木として利用する。
【００１６】
図７は、図６のＡ断面を示す、図8は、図7の部分拡大図である。
【００１７】
図9は、図１の部分拡大図である。主柱1と大梁3を接合金物７にてマスト状に組立固定する。間柱2に小梁４、曲げ梁５を接合金物８で取り付け、ラチス梁６を１０にて固定する。円筒形が完成後は円形梁接合金物8と小梁4の取り付けボルト。ラチス梁接合金物1０で主マストに固定する。３,４,５,６、材に大引止ボルト１２を数箇所溶接し木材の大引１１を取り付け２階床材１３を張る。図１２のように胴縁取り付け下地の溶接金網１４を曲げ梁５と取り付け金物１５との間に差し込み溶接金網押え丸鋼１５−Ａで固定する。溶接金網の横部材に木材の胴縁を図１２のように欠きこみ加工して又釘１７で固定する。外装材１８を胴縁１６に張りビス１９で固定する。内装材２０も胴縁１６に釘、その他の方法で補助固定する。基本的には内装材は溶接押え金物１５と溶接金網１４の立部材の間に上下スライドして取り付け、厚み調整はゴムパッキン等の緩衝材で固定する。図１１,１２は図１０の拡大図である。
【００１８】
図１３は屋根パネル詳細図であり、図１４,１５は図１３のＡ、Ｂ、断面図である。パネル下地鋼材２６を図１３のように三角形状にビスで組立して、表面に屋根パネル２３をＳＵＳビス３２で下地鋼材に張り付け、防水、断熱塗装を塗布する。裏面は断熱材24をパネル２３に貼り、構造材にＳＵＳボルト２５で固定する。水勾配はＳＵＳボルトで調整して谷樋に雨水を集め排水目皿30と竪樋31で外部に排水する。谷樋２８は防火板をコの字型に組立、防水、断熱塗装を塗布し、谷樋止め金物２７で固定する。幕板止木材３３をＳＵＳビスでパネル２３に固定しカラ−アルミ幕板を３３に取り付ける。柱カバ−パネル２１は防火板厚み１２〜１８ｍｍを取り付け金物３５で固定し胴縁１６にビス止めする。外壁材との止水は水切り鉄板とシ−リングで行う。
【産業上の利用可能性】
【００１９】
住宅だけでなく、店舗。事務所、など他の用途にも適用できる。
【図面の簡単な説明】
【００２０】
【図１】構造部材の配置図である。
【図２】屋根パネルを設置完了した状態を示す。
【図３】円筒形の建物を二分割したカマボコ型ド−ムの組立図である。
【図４】カマボコ型ド−ムが半分組立完成して主マストに仮止めした状態を示す。
【図５】屋根パネル２３の二分割図である。
【図６】基礎部分の詳細図である。
【図７】図６のＡ断面を示す。
【図８】図７の部分拡大図である。
【図９】図1の部分拡大図である。
【図１０】図９のA部分の断面図である。
【図１１】図１０の拡大図である。
【図１２】図１０の拡大図である。
【図１３】屋根パネル詳細図である。
【図１４】図１３のＡ断面図である。
【図１５】図１３のＢ断面図である。
【符号の説明】
【００２１】
１    鉄骨主柱
２    鉄骨間柱
３    鉄骨大梁
４    鉄骨小梁
５    鉄骨円形梁
６    鉄骨ラチス梁
７    大梁接合金物  
８    円形梁接合金物Ａ
９    円形梁接合金物Ｂ
１０    ラチス梁取り付金物
１１    2階大引（木材）
１２    大引止ボルト
１３    2階床材
１４    溶接金網
１５    溶接金網取付金物
１５−Ａ    溶接金網押え丸鋼
１６    胴縁（木材）
１７    胴縁止め釘
１８    外装材
１９    外装材止ビス
２０    内装材
２１    柱カバ−パネル
２２    外部アルミ建具
２３    屋根パネル（防火板）
２４    断熱材
２５    パネル止ＳＵＳボルト
２６    パネル下地鋼材
２７    谷樋止め金物
２８    谷樋（防火板加工、防水）
２９    カラ−アルミ幕板
３０    雨水目皿
３１    竪樋
３２    屋根パネル止ＳＵＳビス
３３    幕板止木材
３４  幕板止ＳＵＳビス
３５  柱カバ−パネル止金物
（イ）  マスト基礎
（ロ）  ベタ基礎
（ハ） マストアンカ−ボルト
（ニ） 間柱アンカ−ボルト
（ホ） 円形梁アンカ−ボルト
（へ）  マスト基礎鉄筋
（ト） ベタ基礎鉄筋
（チ） 均しモルタル
（リ） 大引（木材）
（ヌ） 大引止ボルト
（ル） 1階床材
（ヲ） ゴムパッキン
（ワ） 円形アルミパネル
（カ）  円形アルミパネル止金物
【図１】
2009007793.tif 000003
【図２】
2009007793.tif 000004
【図３】
2009007793.tif 000005
【図４】
2009007793.tif 000006
【図５】
2009007793.tif 000007
【図６】
2009007793.tif 000008
【図７】
2009007793.tif 000009
【図８】
2009007793.tif 000010
【図９】
2009007793.tif 000011
【図１０】
2009007793.tif 000012
【図１１】
2009007793.tif 000013
【図１２】
2009007793.tif 000014
【図１３】
2009007793.tif 000015
【図１４】
2009007793.tif 000016
【図１５】
2009007793.tif 000017